(57)【要約】      （修正有）【課題】電子デバイスの設置や変化形態の多様性に対応する、電子デバイスの固定機構を提供する。【解決手段】固定機構１００と、電子デバイスに加えてこのような固定機構を備える固定機構キットと、電子デバイスを設置するためのこのような固定機構は、設置用表面に取り付けられるための設置用支持体２００を備える。電子デバイスがファスナ部分を使用して設置用支持体に取り付けられる。ファスナ部分がコネクタ４００の一部分を形成し、コネクタ４００が、Ｈ形取付部分を細長い開口部の中で固定することにより設置用支持体に取り付けられる。Ｈ形構造が細長い開口部の中の定位置で回転させられ、取付部分のいずれかの側に配置される少なくとも２つの停止部分を使用して留められる。設置用支持体がＨ形取付部分および細長い開口部のうちの一方を備え、コネクタがもう一方を備える。【選択図】図１
2019195043.tif 000002
【特許請求の範囲】
【請求項１】
設置用支持体（２００）およびコネクタ（４００）を備える固定機構であって、
前記設置用支持体（２００）が、
設置用表面に取り付けられるように適合され、
細長い開口部（２１０）を有し、
前記設置用支持体（２００）の第１の側（２５０）において前記開口部（２１０）に隣接する第１の停止部分（３５０）を有し、
前記設置用支持体（２００）の前記第１の側（２５０）または第２の側（２４０）において前記開口部（２１０）に隣接する第２の停止部分（３１０）を有し、
前記コネクタ（４００）が、
ファスナ部分（４７０）を有し、
Ｈ形取付部分（４１０）を有し、前記取付部分（４１０）が前記設置用支持体（２００）内の前記開口部（２１０）の幅（Ｗ１）より大きい長さを有し、
前記設置用支持体（２００）内の前記細長い開口部（２１０）の中に前記取付部分（４１０）を挿入して前記取付部分（４１０）を回転させることにより、前記取付部分（４１０）は、
前記Ｈ形取付部分（４１０）の第１の脚部（４２０）が前記設置用支持体（２００）の前記第１の側（２５０）に配置され、
前記Ｈ形取付部分（４１０）の第２の脚部（４３０）が前記設置用支持体（２００）の前記第２の側（２４０）に配置された状態で
配置されるように適合され、
前記取付部分（４１０）の回転中、前記第１の脚部（４２０）が前記第１の停止部分（３５０）の上を通過するように適合され、前記取付部分（４１０）の前記回転後、
前記第１の停止部分（３５０）が前記取付部分（４１０）の第１の側面（４４０）に当接されるように適合され、
前記第２の停止部分（３１０）が前記取付部分（４１０）の第２の側面（４５０）に当接されるように適合され、
前記第１の側面（４４０）および前記第２の側面（４５０）が前記取付部分（４１０）の両側に位置する、
固定機構。
【請求項２】
前記コネクタ（４００）の前記ファスナ部分（４７０）が前記Ｈ形取付部分（４１０）の前記第１の脚部（４２０）に対して留められる、請求項１に記載の固定機構。
【請求項３】
前記設置用支持体（２００）が、前記第１の停止部分（３５０）の上を前記第１の脚部（４２０）が通過するときの方向の反対の方向に前記取付部分（４１０）が回転するのを妨げるための、前記設置用支持体（２００）の前記第１の側（２５０）または前記第２の側（２４０）において前記細長い開口部（２１０）に隣接する第３の停止部分（３２０）を有する、請求項１または２に記載の固定機構。
【請求項４】
前記設置用支持体（２００）が、前記設置用支持体（２００）の前記第１の側（２５０）または前記第２の側（２４０）において前記細長い開口部（２１０）に隣接する第４の停止部分（３３０）を有する、請求項１から３のいずれか一項に記載の固定機構。
【請求項５】
前記第２の停止部分（３１０）が、前記設置用支持体（２００）の前記第２の側（２４０）の中にある凹み部分（３４０）の一部として構成される、請求項１から４のいずれか一項に記載の固定機構。
【請求項６】
前記第３の停止部分（３２０）および前記第４の停止部分（３３０）が、前記設置用支持体（２００）の前記第２の側（２４０）において前記凹み部分（３４０）の一部として構成される、請求項５に記載の固定機構。
【請求項７】
前記Ｈ形取付部分（４１０）の前記第１の脚部（４２０）が前記Ｈ形取付部分（４１０）の前記第２の脚部（４３０）より長い、請求項１から６のいずれか一項に記載の固定機構。
【請求項８】
前記設置用支持体（２００）が金属材料で作られる、請求項１から７のいずれか一項に記載の固定機構。
【請求項９】
前記コネクタ（４００）が熱可塑性材料で作られる、請求項１から８のいずれか一項に記載の固定機構。
【請求項１０】
前記熱可塑性材料がポリオキシメチレンである、請求項９に記載の固定機構。
【請求項１１】
前記コネクタ（４００）の前記ファスナ部分（４７０）が、スナップ嵌合要素、クランプ、ケーブル保持要素、ばね要素、および距離要素、のうちの少なくとも１つを含む、請求項１から１０のいずれか一項に記載の固定機構。
【請求項１２】
請求項１から１１のいずれか一項に記載の固定機構１００および電子デバイス（５１０）を備える固定機構キットであって、前記電子デバイス（５１０）が、細長い開口部（２１０）の位置に従う第１のセットアップで設置用支持体（２００）に固定されるように構成される、固定機構キット。
【請求項１３】
前記電子デバイス（５１０）が、カメラ、撮像センサ、物理的アクセス制御サーバ、カード読取装置、無線信号送受信機、スピーカ、受動型赤外線センサ、ＲＡＤＡＲユニット、マイクロホン、のうちの少なくとも１つを備える、請求項１２に記載の固定機構キット。
【請求項１４】
前記固定機構（１００）の前記設置用支持体（２００）が、前記設置用支持体（２００）上の第２の位置に配置される第２の細長い開口部（２１１）を備え、前記電子デバイス（５１０）が、コネクタ（４００）を前記第２の細長い開口部（２１１）に取り付けることにより、第２のセットアップで前記設置用支持体（２００）に固定されるように構成される、請求項１２または１３に記載の固定機構キット。
【請求項１５】
電子デバイス（５１０）を設置用表面に設置するための、請求項１２から１４のいずれか一項に記載の固定機構キットの使用。
【発明の詳細な説明】
【技術分野】
【０００１】
本発明は固定機構の分野に関する。詳細には、本発明は、設置用支持体およびコネクタを備える固定機構と、電子デバイスに加えてこのような固定機構を備える固定機構キットと、電子デバイスを設置するためのこのような固定機構の使用とに関する。
【背景技術】
【０００２】
カメラ、物理的アクセス制御装置、スピーカ、マイクロホン、インフォメーションボード（ｉｎｆｏｒｍａｔｉｏｎ  ｂｏａｒｄ）など、の電子デバイスを、屋内および屋外の両方の、壁、天井、柱、および他の表面などの、設置用表面に設置するのに、固定機構が使用される。設置用表面は、平坦、非平坦など、垂直、水平などである可能性がある。表面に設置される電子デバイスは、監視、危険防止または警備、公共情報の流通、環境データの測定など、のための電子デバイスである可能性がある。
【０００３】
この種類の固定機構は、通常、設置用表面への取り付けための設置用支持体を備え、対象とする電子デバイスが設置用支持体に取り付けられる。例としては、米国特許出願公開第２００６／０１４７１９４（Ａ１）号が、設置用表面に取り付け可能である設置用装置と、設置用装置に係合されるためのカメラヘッドベースを備えるカメラヘッド組立体とを有するカメラ組立体を開示している。
【０００４】
電子デバイスの環境およびその配置が多様であることは、これらの固定機構が、装着具を設置するのが容易であることと、電子デバイスを堅固に保持することと、製造のコスト効率が高いこととを必要とすることに加えて、電子デバイスの設置の向きの多様性および電子デバイスの変形形態の多様性などの、電子デバイスの多様な変化する状況に対して適合され得ることも必要であることを意味している。このことによって、電子デバイスの供給業者として、多様な種類の製品のための同一の設置用支持体を有し得るのである。
【０００５】
したがって、固定機構をさらに改善することが必要である。
【先行技術文献】
【特許文献】
【０００６】
【特許文献１】米国特許出願公開第２００６／０１４７１９４（Ａ１）号
【発明の概要】
【０００７】
上記を考慮して、本発明の目的は、改善された、固定機構と、固定機構キットと、固定機構キットの使用とを提供することである。
【０００８】
本発明の第１の態様によると、上記の目的は、設置用支持体およびコネクタを備える固定機構によって達成される。ここで、設置用支持体は設置用表面に取り付けられるように適合され、細長い開口部を有し、設置用支持体の第１の側において開口部に隣接する第１の停止部分を有し、設置用支持体の第１の側または第２の側において開口部に隣接する第２の停止部分を有し、コネクタはファスナ部分を有し、Ｈ形取付部分を有し、取付部分は設置用支持体内の開口部の幅より大きい長さを有し、設置用支持体内の細長い開口部の中に取付部分を挿入して取付部分を回転させることにより、取付部分は、Ｈ形取付部分の第１の脚部が設置用支持体の第１の側に配置され、Ｈ形取付部分の第２の脚部が設置用支持体の第２の側に配置された状態で配置されるように適合され、取付部分の回転中、第１の脚部は第１の停止部分の上を通過するように適合され、取付部分の回転後、第１の停止部分は取付部分の第１の側面に当接されるように適合され、第２の停止部分は取付部分の第２の側面に当接されるように適合され、第１および第２の側面は取付部分の両側に位置する。
【０００９】
本発明の第１の態様の変形形態によると、上記の目的は、設置用支持体およびコネクタを備える固定機構によって達成される。ここで、設置用支持体は設置用表面に取り付けられるように適合され、Ｈ形取付部分を有し、コネクタはファスナ部分を有し、細長い開口部を有し、細長い開口部は取付部分の長さより小さい幅を有し、設置用支持体の第１の側において開口部に隣接する第１の停止部分を有し、設置用支持体の第１の側または第２の側において開口部に隣接する第２の停止部分を有し、コネクタ内の細長い開口部の中に取付部分を挿入してコネクタを回転させることにより、取付部分は、Ｈ形取付部分の第１の脚部がコネクタの第１の側に配置され、Ｈ形取付部分の第２の脚部がコネクタの第２の側に配置された状態で配置されるように適合され、コネクタの回転中、第１の脚部は第１の停止部分の上を通過するように適合され、コネクタの回転後、第１の停止部分は取付部分の第１の側面に当接されるように適合され、第２の停止部分は取付部分の第２の側面に当接されるように適合され、第１および第２の側面は取付部分の両側に位置する。
【００１０】
本発明の第１の態様による固定機構には複数の利点がある。一つには、２つの別個の部品の中に設置用支持体およびファスナを有することにより、ファスナを備えるコネクタが設置用支持体上の多様な位置で設置用支持体に接続され得るため（その位置に、接続用の細長い開口部または別法としてＨ形取付部分が存在する限りにおいて）、固定機構がフレキシビリティのあるものとなり、多様な設置構成に対して適合されることが容易になる。同一の接続原理を利用して多様な種類のファスナ部分が設置用支持体上に配置され得るということによってもフレキシビリティが提供される。
【００１１】
さらに、２つの別個の部品の固定機構は、これらの部品が異なる材料で製造され得、したがって各部品がそのそれぞれの使用のために適合される材料で作られ得るため、製造の点においても有利である。また、ファスナ自体が設置用支持体に一体化される必要がないことが有利である。その理由は、一体化する場合には、設置用支持体の構造が、例えば鋳造またはダイカスト製造することが困難であるようなより複雑なものとなるからである。したがって、第１の態様による本発明は製造のコスト効率が高い。
【００１２】
さらに、追加のツールまたは複雑な手順が必要ないため、固定機構は多部品構成であるにもかかわらず装着具により所望の位置で組み立てることまたは所望の位置に設置することが容易である。Ｈ形取付部分が細長い開口部内に配置され、さらには回転させられ、それにより設置用支持体に対して１つの位置でコネクタをロックする。
【００１３】
別の利点には、組み立てまたは設置が容易であっても、固定機構によって固定されることになる電子デバイスのための堅固な固定機構が提供されることが含まれる。停止部分およびＨ形取付構造は、設置用支持体に対してコネクタおよびひいてはファスナ部分を高い信頼性で堅固に位置決めするのを可能にする。
【００１４】
以下では、種々の実施形態および任意選択の特徴を考察する。大部分において、上述の第１の態様の文脈において説明を行う。しかし、細長い開口部およびＨ形取付部分の配置が逆にされる言及した変形形態も本質的に同じ手法で具体化され得、同じ任意選択の特徴を利用することができる。
【００１５】
固定機構は２つの離間される細長い開口部および２つのコネクタを備えることができ、その結果、一対のコネクタが電子デバイスを堅固に保持するために設置用支持体上に配置され得る。例えば、２つの細長い開口部が設置用支持体の周縁部の近くに配置され得、実質的に１８０°離間される。電子デバイスのデザインに応じて、対応する数の離間される細長い開口部の中で３つ以上のコネクタを使用することが所望される可能性がある。
【００１６】
固定機構の変形形態によると、コネクタのファスナ部分がＨ形取付部分の第１の脚部に対して留められる。これにより固定機構の設置の容易さがさらに向上する。その理由は、コネクタを設置用支持体に設置する人が、第１の停止部分の上を第１の脚部が通過するときの視覚的フィードバックを得ることになるからである。
【００１７】
固定機構の別の変形形態によると、設置用支持体が、第１の停止部分の上を第１の脚部が通過するときの方向の反対の方向に取付部分が回転するのを妨げるための、設置用支持体の第１または第２の側において開口部に隣接する第３の停止部分を有する。やはりこれにより固定機構の設置の容易さが向上する。その理由は、コネクタを設置用支持体に設置する人が、コネクタを設置用支持体に設置するための正確な方向にコネクタを回転させるように手引されるからである。
【００１８】
固定機構の他の変形形態では、設置用支持体の第１または第２の側において開口部に隣接する第４の停止部分が設置用支持体にさらに追加され得る。この追加の停止部分が設置用支持体に対するコネクタの位置の安定性をさらに向上させ、また、設置位置におけるコネクタの移動の自由度をさらに低減する。
【００１９】
さらに、第２の停止部分が、設置用支持体の第２の側の中にある凹み部分の一部として構成され得る。第２の停止部分に加えて、第３および第４の停止部分も設置用支持体の第２の側において凹み部分の一部として構成され得る。これは設置用支持体が平坦な設置用表面に設置される場合に特に有利である。その理由は、これが、第２の脚部が設置用支持体の第２の側の平面から突出しないことを暗に意味しているからである。
【００２０】
固定機構の変形形態によると、Ｈ形取付部分の第１の脚部がＨ形取付部分の第２の脚部より長い。Ｈ形取付部分の長い方の第１の脚部が脚部の可撓性を向上させ、それにより第１の停止部分を通過するのをより容易にし、一方で相対的により短い第２の脚部が、細長い開口部の中により容易に嵌合されるため、設置の容易さを向上させる。
【００２１】
本発明の第１の態様による固定機構が多様な材料で製造され得る。一変形形態では、設置用支持体が金属材料で作られる。その理由は、金属材料が設置用支持体にロバスト性（頑丈さ）を与えることができ、破断することなく強い衝撃に耐えることができるからであり、これは固定機構を耐破壊性を有するものにする場合に必要である。
【００２２】
さらに、別の変形形態では、コネクタが熱可塑性材料で作られる。その理由は、熱可塑性材料が、コネクタの一体化されるファスナ部分に、可撓性および弾性を有するという機械的な特徴を与えることができるからである。製造における取扱いが容易でありかつ耐久性を有するという特徴を有する熱可塑性材料の例としてポリオキシメチレン（ＰＯＭ：Ｐｏｌｙｏｘｙｍｅｔｈｙｌｅｎｅ）がある。ＰＯＭは、コネクタを製造するのに使用される熱可塑性材料の１つの良好な選択肢となり得る。
【００２３】
本発明の第１の態様による固定機構の場合、ファスナ部分には多様な選択肢が存在する。固定機構の変形形態では、コネクタのファスナ部分には、スナップ嵌合要素、クランプ、ケーブル保持要素、ばね要素、および距離要素、のうちの少なくとも１つが含まれる。これらはすべて、堅固でロバスト性のある形で電子デバイスを固定機構に固定するための容易な手順を実現することができるファスナ部分である。
【００２４】
本発明の第２の態様によると、本発明の第１の態様による固定機構と、電子デバイスとを備える固定機構キットが提供され、電子デバイスは、細長い開口部の位置に従う第１のセットアップ（配置）で設置用支持体に固定されるように構成される。
【００２５】
本発明の第１の態様に関連して言及した利点は本発明のこの第２の態様にも適用可能であり、類似の実施形態が適用され得る。本発明の第２の態様による固定機構キットに含まれることになる電子デバイスには多様な選択肢が存在する。変形形態によると、電子デバイスが、カメラ、撮像センサ、物理的アクセス制御サーバ、カード読取装置、無線信号送受信機、スピーカ、受動型赤外線センサ、ＲＡＤＡＲユニット、およびマイクロホン、のうちの少なくとも１つを備える。
【００２６】
本発明の第２の態様の変形形態によると、固定機構の設置用支持体は、設置用支持体上の第２の位置に配置される第２の細長い開口部を備え、電子デバイスは、コネクタを第２の細長い開口部に取り付けることにより、第２のセットアップで設置用支持体に固定されるように構成される。このことは、電子デバイスを位置決めすることに対してフレキシビリティを有し、追加的な部品をキットに追加することなく特定の使用事例に対して特有な条件に従うように適合され得る固定機構キットを提供するという点で、さらなる利点を提供する。上で考察したものと同様に、設置用支持体は２つ以上の第２の細長い開口部を装備することができ、その結果、例えば、電子デバイスを設置するのに一対のコネクタが採用され得る。
【００２７】
本発明の第３の態様によると、本発明の第２の態様による固定機構キットの使用が提供される。
【００２８】
本発明の第１および第２の態様に関連して言及した利点は本発明のこの第３の態様にも適用可能であり、類似の実施形態が適用され得る。
【００２９】
以下で与えられる詳細な説明から本発明のさらなる適用可能範囲が明らかとなる。しかし、詳細な説明および特定の例は、本発明の好適な実施形態を示す一方で、単に例示として与えられるものであることを理解されたい。その理由は、本発明の範囲内にある多様な変更形態および修正形態が本詳細な説明から当業者には明らかとなるからである。さらに、本発明は、特に明記されない限りにおいて、また技術的に不可能ではない限りにおいて、上記にまたは下記に開示される実施形態、変形形態、代替形態に関連して記載される特徴のすべての考えられる組み合わせにも関連するものであることに留意されたい。
【００３０】
したがって、本発明は、説明されるデバイスの特定の構成要素の部分または説明される方法のステップのみに限定されず、したがってこれらのデバイスおよび方法が変更し得る、ことを理解されたい。また、本明細書で使用される用語は、特定の実施形態のみを説明すること目的としており、限定的であることを意図されない、ことを理解されたい。本明細書および添付の特許請求の範囲で使用される場合の、冠詞「ａ」、「ａｎ」、「ｔｈｅ」、および「ｓａｉｄ」は、特に明記しない限りにおいて１つまたは複数の要素が存在することを意味することを意図される、ということに留意されたい。したがって、例えば、「ａ  ｓｅｎｓｏｒ」または「ｔｈｅ  ｓｅｎｓｏｒ」を参照することは複数のセンサを含むことができる、などである。さらに、「備える」という語は他の要素またはステップを排除しない。
【００３１】
添付図面を参照する、本発明の好適な実施形態の以下の詳細な説明から本発明の他の特徴および利点が明らかとなる。
【図面の簡単な説明】
【００３２】
【図１】設置用支持体およびコネクタを備える固定機構の実施形態を示す図である。
【図２】設置用支持体の実施形態を示す図である。
【図３Ａ】設置用表面の方を向く設置用支持体の側から見た、設置用支持体の実施形態の一部分を示す図である。
【図３Ｂ】細長い開口部を備える設置用支持体の実施形態を示す断面図である。
【図４Ａ】コネクタの実施形態を示す斜視図である。
【図４Ｂ】コネクタの実施形態を示す側面図である。
【図５】設置用支持体と、コネクタと、電子デバイスとを備える組み立てられた固定機構キットの実施形態を示す図である。
【図６】本発明によるものではないコネクタの実施形態を示す図である。
【図７】図６のコネクタが取り付けられた設置用支持体の一部分を示す図である。
【図８】図７の設置用支持体およびコネクタを示す断面図である。
【発明を実施するための形態】
【００３３】
また、これらの図では、複数の図を通して同様の参照符号が同様のまたは対応する部品を示す。
【００３４】
図１は、本発明による固定機構１００の実施形態を示す。固定機構１００が、設置用支持体２００と、コネクタ４００とを備える。設置用支持体２００が、壁、天井、屋根の上面、柱、および他の種類の構造などの、設置用表面に設置されるように、つまり取り付けられるように、適合される。設置用支持体２００が、例えば、アルミニウムなどの金属でダイカスト製造または鋳造され得、それにより軽量で、ロバスト性を有する剛体のプラットフォームが得られる。金属は好適な材料の種類の一例である。その理由は、金属が、例えば固定機構に対してバンダルプルーフ検査を行うこと（ｖａｎｄａｌ−ｐｒｏｏｆｉｎｇ）に伴う必要条件を満たすことができるような高いロバスト性の材料特性を提供するからである。固定機構に対して強い衝撃が加えられるときの耐衝撃性は、製品にバンダルプルーフ検査を行うときに評価される一般的な特性である。
【００３５】
開口部２３０が設置用支持体２００の構造内に配置され得、それにより、ボルト、ねじ、ケーブルタイ、または他の同様の固定手段を使用して支持体を設置用表面に取り付けるのを可能にする。他の開口部２３０および設置用ポスト２２０（図２を参照）がさらに設置用支持体２００内に配置され得、それにより、ボルト、ねじ、ケーブルタイ、または他の固定手段などの、種々のファスナを使用して、電子デバイス５１０、または電子デバイス５１０の部品を取り付けるのを可能にする。設置用支持体２００内の少なくとも１つの細長い開口部２１０がコネクタ４００を受けるように構成される限りにおいて、設置用支持体内の開口部２３０、２１０が本発明に従う種々のセットアップで構成され得る。
【００３６】
この種類の設置用支持体に取り付けられ得る電子デバイス５１０（図５を参照）の例は、カメラ、撮像センサ、物理的アクセス制御サーバ、カード読取装置、無線信号送受信機、スピーカ、受動型赤外線センサ、ＲＡＤＡＲユニット、およびマイクロホンである。「電子デバイス」という用語は、ここでは、回路、チップ、配線、および電気コネクタなどの、電子デバイスの構成要素も含む。その理由は、固定機構１００が、電子デバイス５１０の複数の構成要素を設置するための、保持するための、または留めるためのプラットフォームとして使用され得るからである。
【００３７】
設置用支持体２００に加えて、本発明による固定機構１００が少なくとも１つのコネクタ４００を備える（図１を参照）。設置用支持体２００が、コネクタ４００を受けるように構成される少なくとも１つの細長い開口部２１０を有する。固定機構１００に設置されることになる電子デバイス５１０に応じて、一対、２つの対、またはそれ以上の対の細長い開口部２１０およびコネクタ４００が固定機構１００内で使用され得る。細長い開口部２１０が設置用支持体２００の周縁部の近くで離間されて形成され得る。細長い開口部の相対的配置は、設置されることになる電子デバイスに対して適合されるべきである。例えば、２つの細長い開口部およびコネクタが使用される場合、これらは本質的に１８０°離間されて配置され得る。
【００３８】
コネクタ４００が、電子デバイス５１０の位置を保持および／または固定するのに使用されるファスナ部分４７０を有する（図４Ａおよび図４Ｂを参照）。ファスナ部分４７０は、例えば、図面に示されるようなスナップ嵌合、あるいはケーブル保持要素、クランプ、距離要素、ばね要素などとして、実装され得る。したがって、ファスナ部分４７０が、電子デバイス５１０の位置を所望の位置で保持および／または固定するための任意の手段を備えることができる。したがって、保持するための、クランプするための、押すための、固定するための、多様な手段が、ファスナ部分４７０の別の例となり得る。
【００３９】
図４Ａおよび図４Ｂのファスナ４７０はスナップ嵌合タイプのファスナの例である。この種類のファスナはその構造においてばねのような可撓性を有し、製品内の凹み部分または同様のものの中に押し込まれるグリップ部分を通常有し、この製品がグリップ部分によって固定される。電子デバイスが設置用プラットフォームの方に押されて可撓性を有するばね状の構造がグリップ部分を凹み部分の方に押す力を発生させてそれにより電子デバイス５１０の位置を固定するとき、グリップ部分および凹み部分が相互にロックされる。
【００４０】
いくつかの事例では、スナップ嵌合および凹み部分の場合において上で説明したものと同様に、電子デバイス５１０がファスナ部分に機械的に結合され、いくつかの事例では、ファスナ部分が、電子デバイス５１０を所望の位置で固定するようなつまり電子デバイス５１０を所望されない位置に置くのを防止するような距離要素を例えば使用して、電子デバイス５１０の位置を受動的に支持する。
【００４１】
コネクタ４００がＨ形取付部分４１０をさらに備える（図４Ｂを参照）。取付部分４１０が、設置用支持体２００内の細長い開口部２１０の幅より大きい長さを有する。Ｈ形取付部分４１０はここでは、文字「Ｈ」の形状を有するものとして説明される。その理由は、Ｈ形取付部分が、２つの平行な脚部４２０、４３０と、２つの脚部４２０、４３０を接続する第３の部分４６０とを備えるからであり、ここでは、第３の部分４６０が２つの平行な脚部４２０、４３０に対して垂直である。しかし、分かり易いように、第３の部分４６０が２つの平行な脚部４２０、４３０に沿う任意の位置に配置され得、必ずしも、一般的な「Ｈ」の文字の場合に当てはまるような中央の位置に配置されるわけではない、ことに留意されたい。例えば、第３の部分４６０が２つの平行な脚部４２０、４３０の端部ポイントのうちの一方の端部ポイントのところに配置され得、通常はファスナ部分４７０に最も近い第２の脚部４３０の端部のところにある。これらの事例では、取付部分の形状はＵ形または馬蹄形と称される場合もあるが、これらはここではＨ形の特別な事例とみなされる。
【００４２】
コネクタ４００の取付部分４１０が設置用支持体２００内の細長い開口部２１０の中に挿入されて回転させられると、取付部分４１０が、Ｈ形取付部分４１０の第１の脚部４２０が設置用支持体の一方の側２４０に配置され、Ｈ形取付部分４１０の第２の脚部４３０が設置用支持体２００のもう一方の側２５０に配置された状態で配置されるように適合される。逆も同様であり、第１の脚部４２０が、もちろん、設置用支持体２００の側２５０に配置されてもよく、その場合は第２の脚部４３０が設置用支持体２００の側２４０に配置されることになる。
【００４３】
設置用支持体２００内の細長い開口部２１０に対する取付部分４１０の回転運動を促進するために、取付部分４１０の２つの脚部４２０、４３０を接続する第３の部分４６０が一方の側４９０で丸みを有してよい（図４Ｂを参照）。加えて、細長い開口部２１０の対応する部分３６０も丸みを有してよい（図３Ａを参照）。取付部分４１０の２つの脚部４２０、４３０を接続する第３の部分４６０の幅Ｗ２がさらに、細長い開口部２１０の幅Ｗ１に一致するように適合され得、その結果、取付部分４１０が回転位置にあるとき、取付部分４１０の２つの脚部４２０、４３０を接続する第３の部分４６０がさらに、設置用支持体２００に対するコネクタ４００の考えられる移動を制限するのを補助する。
【００４４】
コネクタが確実に右方向に回転させられるようにするために、および所望の位置までコネクタが回転させられたときに脚部４２０、４３０の位置を固定するために、停止部分３１０、３２０、３３０、３５０が設置用支持体２００上に形成される。停止部分は、停止部分３１０、３２０、３３０などの、凹み部分３４０として実装され得るか、または停止部分３５０などの突出構造として実装され得、設置用支持体２００内の細長い開口部２１０に隣接して配置され、その結果、取付部分４１０の脚部４２０、４３０が回転位置において停止部分に当接され得る。取付部分４１０を固定するには、少なくとも２つの停止部分が必要である。取付部分４１０の脚部４２０、４３０の動作がいずれの方向に移動するのも阻止するために、取付部分４１０の各側面４４０、４５０に１つの停止部分が位置する。停止部分は、任意選択で、設置用支持体２００のいずれかの側２４０、２５０に配置され得る。
【００４５】
したがって、取付部分４１０の回転中、第１の脚部４２０が第１の停止部分３５０の上を通過するように適合され、取付部分４１０の回転後、第１の停止部分３５０が取付部分４１０の第１の側面４４０に当接されるように適合され、第２の停止部分３１０が取付部分４１０の第２の側面４５０に当接されるように適合される。
【００４６】
設置位置において、設置用支持体に対するコネクタ４００の位置の安定性およびロバスト性を向上させるために、Ｈ形取付部分４１０の第１の脚部４２０が第２の脚部４３０より長くなるように選択され得る。第２の脚部４３０が細長い開口部２１０の中に挿入される必要があることから、細長い開口部２１０の長さが第２の脚部４３０の長さを制限する。しかし、第１の脚部４２０は第２の脚部４３０より大きい長さを有するように選択され得る。さらに、相対的に長い第１の脚部４２０が、第１の停止部分３５０を通過するのに必要である可能性があるような脚部の可撓性を向上させる。
【００４７】
また、コネクタ４００が、取り付けられた電子デバイス５１０の脱着を補助するための構造をさらに備えることができる。スナップ嵌合タイプのファスナ４７０を備えるコネクタ４００が、任意選択で、スナップ嵌合部分から電子デバイスをスナップオフ（嵌合解除）するためにマイナスドライバーに対して適合される間隙または隙間４８０を備えることができる。このような構造の別の例は、電子デバイス５１０を解放するためにスナップ嵌合部分を引くように適合されるグリップであってよい。
【００４８】
コネクタ４００がポリオキシメチレンなどの熱可塑性材料で作られてよい。熱可塑性材料は、クリップ、スナップ嵌合、またはばねなどにおいて固定機能を形成するために材料の可撓性の特徴を利用するファスナ部分４７０を有するのを可能にする可撓性材料である。ポリオキシメチレンは、製造し易く、高耐久性の材料特性を有する熱可塑性材料の例でもある。
【００４９】
図３Ｂは好適な実施形態における設置用支持体２００の一部分を描いており、ここでは、回転中に取付部分４１０の第１の脚部４２０が通過するところである第１の停止部分３５０が、固定機構１００を設置用表面に設置している人の方を向く設置用支持体２００の側２５０に位置する。それにより、固定機構１００を設置用表面に設置する人が、コネクタ４００が第１の停止部分３５０を通過して固定位置にあることを視覚的に確認することができるようになる。
【００５０】
コネクタ４００を設置用支持体２００に単純にかつ安全に設置するのをさらに促進することを目的として、ならびに／または設置位置における設置用支持体２００に対するコネクタ位置の安定性およびロバスト性をさらに向上させることを目的として、別の停止部分３１０〜３３０、３５０が設置用支持体２００に追加的に加えられ得る。例えば、第１の停止部分の上を第１の脚部が通過するときの方向の反対の方向に取付部分が回転するのを妨げる第３の停止部分３２０、および／または細長い開口部２１０に隣接する設置用支持体の第４の停止部分３３０が、設置用支持体２００に追加され得る。これらの停止部分３２０、３３０は設置用支持体２００のいずれかの側２４０、２５０に配置され得る。
【００５１】
停止部分は、例えば設置用支持体２００のいずれかの側２４０、２５０から突出する突出構造などとして、多様な手法で設置用支持体に追加され得る。停止部分の代替的構造は設置用支持体２００内にある凹み部分３４０であってよい。凹みタイプの停止部分構造は、もちろん、設置用支持体のいずれかの側２４０、２５０上に配置され得、突出構造も同様である。しかし、設置用表面の方を向く設置用支持体の側２４０にある停止部分３１０〜３３０として凹み部分３４０を有することが有利である可能性がある。その理由は、その場合に取付部分の脚部４３０が、設置用支持体２００のこの側２４０に対応する平面から突出する部分を一切有することなく、凹み部分３４０の中に完全に嵌合され得るからである。上記の通りではない場合、突出部分が、設置用支持体２００を設置用表面に設置することにおける安定性に関する問題を生じさせる可能性がある。
【００５２】
本発明による固定機構１００の代替的実施形態では、Ｈ形ファスナ部分４１０が設置用支持体２００に一体化され得、細長い開口部２１０がコネクタ４００の一部分を形成することができ、コネクタ４００がファスナ部分４７０をさらに備える。固定機構に関して上で説明したものと同じ特徴および利点がこの実施形態にも同様に適用され得る。この実施形態では、停止部分３１０〜３３０、３５０が、上で説明したものと同様の細長い開口部２１０に対する位置で、コネクタ４００の一部分を形成することができる。Ｈ形取付部分４１０を設置用支持体２００に一体化するための手法には多様な選択肢がある。例えば、Ｈ形構造の脚部４２０または４３０の一方が設置用支持体２００に完全に一体化されてよい。別法として、第２の脚部４３０の構造が維持され得、それでも設置用支持体２００に取り付けられ得る。
【００５３】
第２の脚部４３０が設置用支持体２００に完全に一体化される言及した第１の代替形態では、第２の停止部分３１０が第１の停止部分３５０と同じ設置用支持体２００の側に配置される。この実施形態の別の代替形態で追加されるさらなる停止部分３２０、３３０も第１の停止部分３５０と同じ設置用支持体２００の側に配置されることになる。
【００５４】
次に、図５を参照して固定機構キット５００を説明する。図５は組み立てられた固定機構キット５００の実施形態を示す。固定機構要素キット５００が、上で説明したものに従う、固定機構１００および電子デバイス５１０を備える。固定機構１００の設置用支持体２００に関して上で説明したことに従って、設置用支持体２００が、電子デバイス５１０のためにセットアップされる少なくとも１つの設置位置を提供する少なくとも１つの細長い開口部２１０を有する。図５に示される例では、設置用支持体２００が２つの細長い開口部２１０を有する。１つの選択肢として、設置用支持体が第２の細長い開口部２１１を有することができ、それにより第２の細長い開口部の位置に従ってセットアップされる第２の設置位置に電子デバイスを設置するのを可能にする。
【００５５】
このことが有用となるようなシナリオの例として、監視カメラを、また具体的にはドーム状視界窓を備える監視カメラを、設置する場合がある。この場合、設置用支持体が、設置用支持体２００を設置用表面に取り付けるための固有の開口部２３０を有することができる。設置用表面を理由として、設置用支持体２００を方向付ける実行可能な形は１つのみしか存在し得ない。例えば、監視カメラを柱に設置する場合、金属タイ（結合部）が特定の位置の中を通過して設置用支持体の向きをロックすることが必要である。ねじまたはボルトを使用して表面に設置する場合にも同様のシナリオが存在し得る。しかし、監視カメラは、設置用支持体２００の向きに対していくからの角度で現場を監視することが必要である可能性がある。したがって、追加の設備を必要とすることなく容易な形で設置用支持体に対しての監視カメラの相対位置を変更することが可能である必要がある。
【００５６】
追加の細長い開口部２１１を有することにより、コネクタ４００が細長い開口部２１０、２１１のうちの任意の細長い開口部の方に配置され得、したがって電子デバイス５１０および設置用支持体２００の相対位置が調整され得る。
【００５７】
上記の例の監視カメラなどの、電子デバイス５１０の設置手順中、通常、ケーブルを接続することが必要であり、また、ドーム状視界窓を留める前に行われる必要があるカメラレンズの焦点の調整などの、ハードウェアの調整もある。これらの事例では、設置用支持体に対してドーム状視界窓をおよびひいては監視カメラ全体を留める例えばねじまたはボルトなどを用いて、電子デバイスを固定する前に、一時的な固定機構が必要となる。この場合、本発明による固定機構１００が、監視カメラの装着中の一時的な固定機構として使用され得る。固定機構は、この例では、ドーム状視界窓を留めるときに例えばねじまたはボルトなどにより、さらに補強され得る。これは本発明による固定機構の１つの使用事例の説明のための例であり、もちろん、他の種類の電子デバイスのための、同様および他の使用の例がこの例から推測され得る。
【００５８】
当業者が上述の実施形態を多数の手法で修正することができ、それでも上記の実施形態に示される本発明の利点を利用することができる、ことが認識されよう。
【００５９】
上述したように、設置用支持体が、コネクタを取り付けるための２つ以上のセットの細長い開口部を有することができ、これらの設置用支持体は多様な向きで電子デバイスを設置するのに使用され得る。また、同一の設置用支持体を使用して異なる電子デバイスを設置するために、複数のセットの細長い開口部が使用され得る。例えば、第１のモデルの監視カメラを設置する場合に第１のセットの細長い開口部が使用され得、第２のモデルの監視カメラを設置する場合に第２のセットの開口部が使用され得る。このようにして、製造業者によって提供される必要がある異なる設置用支持体の数を低減することができる。
【００６０】
したがって、本発明は示される実施形態のみに限定されるべきではなく、添付の特許請求の範囲によってのみ定義されるべきである。加えて、当業者には理解されるであろうが、示される実施形態は組み合わされ得る。
【００６１】
図７が、本発明によるものではないが、本発明の実施形態の例として上で考察したコネクタ４００と同様の手法で使用され得る代替のコネクタ４０を示す。コネクタ４００と同様に、代替のコネクタ４０が、代替のコネクタ４０を使用して固定された電子デバイスをスナップ嵌合部分からスナップオフするためにマイナスドライバーを挿入するための隙間４８を備えるファスナ部分４７を有する。代替のコネクタ４０が第１の脚部４２および第２の脚部４３を有する。図７および図８から分かるように、第１および第２の脚部はそれらの間に設置用支持体２０を挟むことを意図され、ここでは第２の脚部４３が設置用表面（図示せず）の方を向く側２４にあり、第１の脚部４２が電子デバイス（図示せず）の方を向くもう一方の側２５にある。代替のコネクタ４０を中に取り付けるところの開口部２１が図１および２に示される細長い開口部２１０とは異なる形状を有し、代替のコネクタ４０に対して固有に適合される。図７および図８に示される開口部２１に跨るようにウェブ２６が形成され、代替のコネクタが設置用支持体２０に取り付けられるときに代替のコネクタ４０の第２の脚部４３がウェブ２６の下方に配置されるようになる。
【００６２】
図１〜５に関連して上述したコネクタとは異なり、代替のコネクタ４０は取り付けのために定位置で回転させられず、第２の脚部４３をウェブ２６の下方に挿入することにより定位置に単純にスナップ嵌合される。代替のコネクタ４０のファスナ部分４７により電子デバイスが設置用支持体上にスナップ嵌合される場合、例えば第２の脚部４３上のフック部分４９などにより、代替のコネクタ４０が定位置で堅固に保持される。代替のコネクタ４０のファスナ部分４７に対して横方向の力が作用されると、第２の脚部４３がウェブ２６を押圧する。
【００６３】
代替のコネクタ４０は、開口部２１の中に取り付けられると、図１〜５のコネクタ４００と同じ形で機能する。これは本質的に同じ手法で具体化され得る。
【符号の説明】
【００６４】
２０  設置用支持体
２１  開口部
２４  側
２５  側
２６  ウェブ
４０  代替のコネクタ
４２  第１の脚部
４３  第２の脚部
４７  ファスナ部分
４８  隙間
４９  フック部分
１００  固定機構
２００  設置用支持体
２１０  細長い開口部
２１１  細長い開口部
２２０  設置用ポスト
２３０  開口部
２４０  側
２５０  側
３１０  第２の停止部分、停止部分
３２０  第３の停止部分、停止部分
３３０  第４の停止部分、停止部分
３４０  凹み部分
３５０  第１の停止部分、停止部分
３６０  対応する部分
４００  コネクタ
４１０  Ｈ形取付部分
４２０  第１の脚部
４３０  第２の脚部
４４０  第１の側面
４５０  第２の側面
４６０  第３の部分
４７０  ファスナ、ファスナ部分
４８０  隙間
４９０  側
５００  固定機構キット
５１０  電子デバイス
【図１】
2019195043.tif 000003
【図２】
2019195043.tif 000004
【図３Ａ】
2019195043.tif 000005
【図３Ｂ】
2019195043.tif 000006
【図４Ａ】
2019195043.tif 000007
【図４Ｂ】
2019195043.tif 000008
【図５】
2019195043.tif 000009
【図６】
2019195043.tif 000010
【図７】
2019195043.tif 000011
【図８】
2019195043.tif 000012
【外国語明細書】
2019195043000001.pdf
2019195043000002.pdf
2019195043000003.pdf
2019195043000004.pdf